(57)【要約】  各種の電気機器の設定操作を簡単且つ確実に行うことができる小型の操作装置を提供する。  マーク４５〜４７が付された３つの位置に段階的に回動する選択切替スイッチ４０と、これに積重して設けられたダイヤルスイッチ３０とを用いて、表示部５０に表示された設定項目５２の選択操作及び設定操作を行う。表示部５０には選択切替スイッチ４０の３つの回動位置に対応付けて、３つの選択項目５２を左側、中央及び右側の３つの位置に表示する。選択切替スイッチ４０の先端部分４１が一の位置を指し示すように回動する操作を、対応する位置に表示された設定項目５２の選択操作とする。更にダイヤルスイッチ３０を回動する操作を、選択された設定項目５２に対する設定操作とする。また、表示部５０には複数のウインドウ５１を重ねて表示し、選択切替スイッチ４０が手前又は奥方へ揺動された場合に、最前に表示するウインドウ５１を切り替える。
2009020026.tif 000002
【特許請求の範囲】
【請求項１】
複数の設定項目からの一の設定項目の選択操作及び選択された設定項目の設定値の設定操作を受け付ける操作装置において、
段階的に複数の位置に回動し、回動に応じた一の位置を指し示す指示部分を有する第１の回動操作体と、
該第１の回動操作体と同軸に設けられた第２の回動操作体と、
前記第１の回動操作体の回動位置に対応付けられた複数の位置に設定項目をそれぞれ表示する表示部と
を備え、
前記第１の回動操作体の回動に応じて、前記指示部分が指し示す位置に対応する位置に表示された設定項目の選択を受け付け、
前記第２の回動操作体の回動に応じて、選択された設定項目の設定値の設定を受け付けるようにしてあること
を特徴とする操作装置。
【請求項２】
前記表示部は、選択された設定項目を強調表示するようにしてあること
を特徴とする請求項１に記載の操作装置。
【請求項３】
前記強調表示は、拡大表示、色変更表示及び／又は点滅表示であること
を特徴とする請求項２に記載の操作装置。
【請求項４】
前記第１の回動操作体は略卵形の板状をなし、先細部分を前記指示部分としてあり、
前記第２の回動操作体は略円板形をなしていること
を特徴とする請求項１乃至請求項３のいずれか１つに記載の操作装置。
【請求項５】
前記第１の回動操作体は、前記指示部分が前記表示部の一部を覆うように設けてあること
を特徴とする請求項１乃至請求項４のいずれか１つに記載の操作装置。
【請求項６】
前記第１の回動操作体は、回動方向に交差する方向へ揺動可能にしてあり、
前記第１の回動操作体の揺動に応じて、前記表示部が表示する設定項目を切り替えるようにしてあること
を特徴とする請求項１乃至請求項５のいずれか１つに記載の操作装置。
【請求項７】
前記表示部は、
複数の設定項目をそれぞれ有する複数のウインドウを重ねて表示するようにしてあり、
前記第１の回動操作体の揺動に応じて、最前に表示するウインドウを切り替えるようにしてあること
を特徴とする請求項６に記載の操作装置。
【請求項８】
前記第１の回動操作体及び第２の回動操作体は、積重して設けてあること
を特徴とする請求項１乃至請求項７のいずれか１つに記載の操作装置。
【請求項９】
前記第１の回動操作体は筒状をなし、
前記第２の回動操作体は、前記第１の回動操作体内で回動するように設けてあること
を特徴とする請求項１乃至請求項７のいずれか１つに記載の操作装置。
【発明の詳細な説明】
【技術分野】
【０００１】
本発明は、オーディオ装置の音量設定又はエアーコンディショナーの温度設定等の電気機器の設定に係る操作を受け付ける操作装置に関する。
【背景技術】
【０００２】
従来、車輌にはカーナビゲーション装置、オーディオ装置及びエアーコンディショナー（以下、エアコンという）等の種々の電気機器が搭載され、車輌の運転者及び同乗者等に対する快適性の向上が図られている。これらの機器を操作するための複数のスイッチ及びボタン等を有する操作装置は、車輌のインストルメントパネルなどの運転席近傍に配設されている。近年では、車輌に搭載される機器の増加及び各機器の多機能化に伴って、機器の操作により多くのスイッチ及びボタン等が必要となり、車輌内の配設スペース不足が問題となっている。【０００３】
この問題に対して、液晶ディスプレイなどの表示部を車輌のインストルメントパネルなどに搭載して種々のメニューを表示し、少数のスイッチ又はボタン等によりメニューを選択して各種の操作を行う構成とすることにより、スイッチ又はボタン等の搭載数を低減した操作装置が実用化されている。この構成の操作装置は、操作対象の機器が増加した場合又は機器が多機能化した場合であっても、表示部に表示するメニューを増加させればよいため、配設スペース不足を解消することができる。【０００４】
特許文献１においては、メニューを表示する表示装置と、この表示装置の周囲に形成した額縁部とを備え、額縁部に複数の入力装置を配設し、表示装置に表示されたメニューに対応する位置の入力装置の操作により、所望の機能の起動又は選択等を行うことができる入力装置付き表示装置が提案されている。
【特許文献１】特開２００６−１９５７６８号公報
【発明の開示】
【発明が解決しようとする課題】
【０００５】
表示部にメニューを表示して、メニューの選択により機器の操作を行う操作装置では、多くのスイッチ及びボタン等を必要としないという利点はあるが、機器の搭載数が増加した場合又は機器が多機能化した場合に、表示部に表示されるメニューの数が増加する、又はメニューの階層構造が複雑化するという問題がある。メニューの増加又は複雑化により操作性が悪化し、表示部に表示されるメニューを長期に亘って目視する必要が生じるため、特に車輌に搭載する操作装置においては車輌の運転に支障をきたす虞がある。特許文献１に記載の入力装置付き表示装置を車輌に搭載する場合にも同様の問題が生じる。【０００６】
本発明は、斯かる事情に鑑みてなされたものであって、その目的とするところは、段階的に複数の位置に回動する第１の回動操作体と同軸に第２の回動操作体を設け、表示部には第１の回動操作体の回動位置に対応付けられた位置に設定項目を表示し、第１の回動操作体の指示部分が指し示す位置に対応する設定項目の設定を第２の回動操作体の回動にて受け付ける構成とすることにより、表示部に表示された設定項目と第１及び第２の回動操作体による設定操作とを対応付けることができ、設定操作を簡単且つ確実に行うことができる操作装置を提供することにある。【０００７】
また本発明の他の目的とするところは、第１の回動操作体の回動により選択された設定項目を表示部にて強調表示する構成とすることにより、いずれの設定項目が選択されているかを容易に判断することができる操作装置を提供することにある。【０００８】
また本発明の他の目的とするところは、表示部が強調表示として選択された設定項目を拡大表示、色変更表示及び／又は点滅表示する構成とすることにより、選択された一の設定項目をユーザが目視で確実に認識することができる操作装置を提供することにある。【０００９】
また本発明の他の目的とするところは、第１の回動操作体は先細部分を指示部分とした略卵形の板状とし、第２の回動操作体は略円板形とし、回動軸が共通となるように第１の回動操作体及び第２の回動操作体を設ける構成とすることにより、小型で回動操作が行い易く、且つ、第１の回動操作体がいずれの位置に回動されているかを判別し易い操作装置を提供することにある。【００１０】
また本発明の他の目的とするところは、第１の回動操作体をその指示部分が表示部の一部を覆うように設ける構成とすることにより、表示部に表示された設定項目を指示部分が直接的に指し示すことができ、いずれの設定項目が選択されているかをより容易に判断することができる操作装置を提供することにある。【００１１】
また本発明の他の目的とするところは、第１の回動操作体を回動方向に交差する方向へ揺動可能とし、第１の回動操作体の揺動に応じて表示部に表示する設定項目を切り替える構成とすることにより、揺動操作を併用することでより多くの設定項目に対する設定操作を簡単に行うことができる操作装置を提供することにある。【００１２】
また本発明の他の目的とするところは、複数の設定項目を有する複数のウインドウを表示部に重ねて表示し、第１の回動操作体の揺動に応じて最前に表示するウインドウを切り替える構成とすることにより、表示するウインドウの切り替えと揺動操作とを対応付けることができ、切替操作を簡単且つ確実に行うことができる操作装置を提供することにある。【００１３】
また本発明の他の目的とするところは、第１の回動操作体及び第２の回動操作体を積重して設ける構成とすることにより、小型化の実現が容易な操作装置を提供することにある。【００１４】
また本発明の他の目的とするところは、第１の回動操作体を筒状とし、第２の回動操作体を第１の回動操作体内に設ける構成とすることにより、小型化の実現が容易な操作装置を提供することにある。
【課題を解決するための手段】
【００１５】
第１発明に係る操作装置は、複数の設定項目からの一の設定項目の選択操作及び選択された設定項目の設定値の設定操作を受け付ける操作装置において、段階的に複数の位置に回動し、回動に応じた一の位置を指し示す指示部分を有する第１の回動操作体と、該第１の回動操作体と同軸に設けられた第２の回動操作体と、前記第１の回動操作体の回動位置に対応付けられた複数の位置に設定項目をそれぞれ表示する表示部とを備え、前記第１の回動操作体の回動に応じて、前記指示部分が指し示す位置に対応する位置に表示された設定項目の選択を受け付け、前記第２の回動操作体の回動に応じて、選択された設定項目の設定値の設定を受け付けるようにしてあることを特徴とする。【００１６】
本発明においては、段階的に複数の位置に回動する第１の回動操作体と、第１の回動操作体と同軸に設けられた第２の回動操作体とを用いて、表示部に表示された設定項目の選択操作及び設定操作を行う。表示部には第１の回動操作体による複数の回動位置に対応付けられた位置に設定項目をそれぞれ表示する。第１の回動操作体を指示部分が一の位置を指し示すように回動する操作を、この回動位置に対応して表示部に表示された設定項目の選択操作とする。更に、第２の回動操作体を回動する操作を、第１の回動操作体により選択された設定項目に対する設定操作とする。第１の回動操作体の回動位置と表示部での設定項目の表示位置とが対応付けられることによって、いずれの設定項目を選択しているかをユーザが容易に把握できる。第１の回動操作体を回動させることが可能な位置が数箇所程度であれば、ある程度使用に慣れたユーザは表示部の表示を短時間目視するのみで又は目視することなく、設定項目の選択操作を行うことが可能である。また、設定項目の選択操作と設定操作とを別に配されたスイッチなどで行う場合には、設定項目の選択後にユーザは別のスイッチを探す必要があるが、本発明では設定項目の選択後に、第１の回動操作体と同軸に設けられた第２の回動操作体により設定操作を行うことができるためその必要はない。【００１７】
また、第２発明に係る操作装置は、前記表示部が、選択された設定項目を強調表示するようにしてあることを特徴とする。【００１８】
本発明においては、第１の回動操作体の回動により選択された設定項目を表示部にて強調表示する。これにより、ユーザは第１の回動操作体の回動位置、即ち第１の回動操作体により選択された設定項目を容易に認識することができる。第１の回動操作体を回動することができる位置が多い場合、即ち表示部に表示される設定項目の数が多い場合に特に有効である。【００１９】
また、第３発明に係る操作装置は、前記強調表示が、拡大表示、色変更表示及び／又は点滅表示であることを特徴とする。【００２０】
本発明においては、第１の回動操作体の回動により選択された設定項目を拡大表示、色変更表示及び／又は点滅表示することによって強調表示を行う。これにより、一の設定項目がユーザにより確実に視認され、設定操作の対象となる設定項目を確実にユーザに認識させることができる。【００２１】
また、第４発明に係る操作装置は、前記第１の回動操作体は略卵形の板状をなし、先細部分を前記指示部分としてあり、前記第２の回動操作体は略円板形をなしていることを特徴とする。【００２２】
本発明においては、第１の回動操作体を略卵形の板状とする。この形状は円形に近い形状であるため回動操作に適していると共に、卵形には先細部分が存在するため、この部分を回動位置を指し示す指示部分として利用することができる。また、第２の回動操作体は略円板形とする。卵形と円形とは近い形状であるため同軸に配設することが容易である。また、回動の中心を一致させることによって、第１の回動操作体から第２の回動操作体へ、又はその逆へ、ユーザが操作体の変更を容易に行うことができる。【００２３】
また、第５発明に係る操作装置は、前記第１の回動操作体が、前記指示部分が前記表示部の一部を覆うように設けてあることを特徴とする。【００２４】
本発明においては、指示部分が表示部の一部を覆うように第１の回動操作体を設ける。表示部は、第１の回動操作体の指示部分が回動によって各設定項目を直接的に指し示すように、第１の回動操作体の回動位置に応じた位置に複数の設定項目を表示することができる。これにより、選択された設定項目を強調表示などしない場合であっても、第１の回動操作体の指示部分が直接的に指し示す設定項目が第２の回動操作体による設定対象であることをユーザが認識することができる。【００２５】
また、第６発明に係る操作装置は、前記第１の回動操作体が、回動方向に交差する方向へ揺動可能にしてあり、前記第１の回動操作体の揺動に応じて、前記表示部が表示する設定項目を切り替えるようにしてあることを特徴とする。【００２６】
本発明においては、第１の回動操作体を回動方向に交差する方向へ揺動することができる構成とする。例えば、円柱状又は円筒状の回動軸の外周面からラジアル方向に突出させて揺動軸を設け、この揺動軸にて第１の回動操作体を支持する構成とすることにより、第１の回動操作体は揺動軸を中心に揺動することが可能であり、第１の回動操作体を回動した場合には揺動軸と共に回動軸を回動させることができる。更に、第１の回動操作体の揺動をプッシュスイッチ又は電気的接点等を利用して検知し、揺動に応じて表示部に表示する設定項目を切り替える。これにより、表示部による設定項目の表示の切り替えと、表示された複数の設定項目からの一の設定項目の選択とを、ユーザは第１の回動操作体のみで行うことができる。よって、より多くの設定項目の設定を第１の回動操作体及び第２の回動操作体を利用するのみで行うことが可能となる。【００２７】
また、第７発明に係る操作装置は、前記表示部が、複数の設定項目をそれぞれ有する複数のウインドウを重ねて表示するようにしてあり、前記第１の回動操作体の揺動に応じて、最前に表示するウインドウを切り替えるようにしてあることを特徴とする。【００２８】
本発明においては、複数の設定項目を有する複数のウインドウを表示部に重ねて表示する。また、第１の回動操作体の揺動に応じて、例えば第１の回動操作体を１回揺動させる毎に最前に表示するウインドウを１つずらすなどして、最前のウインドウを切り替えて表示する。第１の回動操作体の回動による設定項目の選択操作及び第２の回動操作体の回動による設定項目の設定操作は、最前のウインドウが有する複数の設定項目を対象とすることができる。第１の回動操作体の揺動とウインドウの表示切替とが対応付けられることによって、ユーザは設定項目の表示切替を容易且つ確実に行うことができる。【００２９】
また、第８発明に係る操作装置は、前記第１の回動操作体及び第２の回動操作体は、積重して設けてあることを特徴とする。【００３０】
本発明においては、第１の回動操作体及び第２の回動操作体を積重して設ける。これにより２つの回動操作体を並設する場合などと比較して、操作装置が小型化できる。ユーザが第１の回動操作体に対する操作と、第２の回動操作体に対する操作とを連続的に行う場合に、２つの回動操作体が積重されているため操作性がよい。【００３１】
また、第９発明に係る操作装置は、前記第１の回動操作体は筒状をなし、前記第２の回動操作体は、前記第１の回動操作体内で回動するように設けてあることを特徴とする。【００３２】
本発明においては、第１の回動操作体を筒状とし、第２の回動操作体は第１の回動操作体内で回動するように設ける。これにより、２つの回動操作体を並設する場合などと比較して、操作装置が小型化できる。ユーザが第１の回動操作体に対する操作と、第２の回動操作体に対する操作とを連続的に行う場合に、２つの回動操作体が積重されているため操作性がよい。
【発明の効果】
【００３３】
第１発明による場合は、同軸に設けられた第１の回動操作体及び第２の回動操作体を用いて、表示部に表示された設定項目の選択操作及び設定操作を行う構成とすることにより、操作装置が多数のスイッチ又はボタン等を備える必要がなく、操作装置を小型化できるため、車輌のインストルメントパネルなどの限られたスペースに操作装置を容易に配設することができる。また、表示部には第１の回動操作体の回動位置に対応付けられた位置に設定項目を表示し、第１の回動操作体の指示部分が指し示す位置に対応する設定項目の設定操作を第２の回動操作体の回動にて受け付ける構成とすることにより、第１の回動操作体の回動と表示部に表示された設定項目とが対応付けられ、いずれの設定項目を選択しているかをユーザが容易に把握できる。よって、ユーザは表示部の表示を短時間目視するのみで又は目視することなく設定項目の選択操作を行うことができるため、操作装置の操作性を向上することができる。特に、この操作装置を車輌に搭載した場合、操作装置を目視することなく操作を行うことができるため、車輌の運転に支障をきたす虞がなく、車輌の走行の安全性を高めることができる。【００３４】
また、第２発明による場合は、第１の回動操作体の回動により選択された設定項目を表示部にて強調表示する構成とすることにより、ユーザは選択された設定項目を容易に認識することができるため、操作装置の操作性をより向上することができると共に、ユーザによる誤操作を低減することができる。【００３５】
また、第３発明による場合は、拡大表示、色変更表示及び／又は点滅表示により第１の回動操作体の回動により選択された設定項目を強調表示する構成とすることにより、選択された一の設定項目がユーザにより確実に視認されるため、設定操作の対象となる設定項目を確実にユーザに認識させることができ、操作装置の操作性を確実に向上することができると共に、ユーザによる誤操作を確実に低減することができる。【００３６】
また、第４発明による場合は、第１の回動操作体は先細部分を指示部分とした略卵形の板状とし、第２の回動操作体は略円板形とすることによって、ユーザは回動操作が行い易く、第１の回動操作体がいずれの位置に回動されているかを判別し易い。よって、操作装置の操作性の向上をより確実に実現することができる。【００３７】
また、第５発明による場合は、指示部分が表示部の一部を覆うように第１の回動操作体を設ける構成とすることにより、表示部に表示された設定項目を指示部分が直接的に指し示すことができるため、第１の回動操作体の指示部分が直接的に指し示す設定項目が第２の回動操作体による設定対象であることをユーザが認識することができ、操作装置の操作性をより向上することができると共に、ユーザによる誤操作を低減することができる。【００３８】
また、第６発明による場合は、第１の回動操作体を回動方向に交差する方向へ揺動可能とし、第１の回動操作体の揺動に応じて表示部に表示する設定項目を切り替える構成とすることにより、表示部による設定項目の表示の切り替え及び表示された複数の設定項目からの一の設定項目の選択を第１の回動操作体のみで行うことができ、より多くの設定項目の設定を第１の回動操作体及び第２の回動操作体で行うことができる。よって、操作装置を大型化することなく多機能化することができ、操作装置の操作性を悪化することなく利便性を向上することができる。【００３９】
また、第７発明による場合は、複数の設定項目を有する複数のウインドウを表示部に重ねて表示し、第１の回動操作体の揺動に応じて最前に表示するウインドウを切り替える構成とすることにより、第１の回動操作体の揺動とウインドウの表示切替とが対応付けられるため、表示する設定項目の切替操作を簡単且つ確実に行うことができる。よって、操作装置の多機能化及び利便性の向上をより確実に実現することができる。【００４０】
また、第８発明による場合は、第１の回動操作体及び第２の回動操作体を積重して設ける構成とすることにより、第１の回動操作体及び第２の回動操作体の配設スペースを低減できるため操作装置を小型化することができると共に、ユーザは操作する回動操作体の変更を容易に行うことができるため、操作装置の操作性を向上できる。【００４１】
また、第９発明による場合は、第１の回動操作体を筒状とし、第２の回動操作体は第１の回動操作体内で回動するように設ける構成とすることにより、第１の回動操作体及び第２の回動操作体の配設スペースを低減できるため操作装置を小型化することができると共に、ユーザは操作する回動操作体の変更を容易に行うことができるため、操作装置の操作性を向上できる。
【図面の簡単な説明】
【００４２】
【図１】本発明の実施の形態１に係る操作装置の外観を示す模式図である。
【図２】本発明の実施の形態１に係る複合スイッチの構成を示す模式図である。
【図３】本発明の実施の形態１に係る操作装置の複合スイッチによる選択操作及び設定操作を説明するための模式図である。
【図４】本発明の実施の形態１に係る操作装置の複合スイッチによるウインドウの表示切替操作を説明するための模式図である。
【図５】本発明の実施の形態１に係る操作装置の構成を示すブロック図である。
【図６】本発明の実施の形態１の変形例に係る操作装置の外観を示す模式図である。
【図７】本発明の実施の形態２に係る操作装置の外観を示す模式図である。
【図８】本発明の実施の形態３に係る複合スイッチの構成を示す模式図である。
【符号の説明】
【００４３】
１  操作装置
１０  制御部
１１  プッシュ検知部
１２  ロータリエンコーダ
１３  位置検出部
１４  揺動検知部
１５  操作部
１７  複合スイッチ
２０  プッシュスイッチ
３０  ダイヤルスイッチ（第２の回動操作体）
３１  回動軸
４０  選択切替スイッチ（第１の回動操作体）
４１  先端部分（指示部分）
４２  回動軸
４３  揺動軸
４５〜４７  マーク
５０  表示部
５１  ウインドウ
５２  設定項目
９１  エアコン
９２  ＣＤプレーヤ
９３  ラジオチューナ
１０１  操作装置
１５０  表示部
２０１  操作装置
２１５  操作部
２１７  複合スイッチ
２４０  選択切替スイッチ（第１の回動操作体）
２５０  表示部
２５２  設定項目
３０１  操作装置
３１７  複合スイッチ
３２０  プッシュスイッチ
３３０  ダイヤルスイッチ（第２の回動操作体）
３４０  選択切替スイッチ（第１の回動操作体）
３４２  回動筒部
３４３  操作部
３４４  貫通孔
３５０  回路基板
３５１  固定筒
３５２  ロータリエンコーダ
【発明を実施するための最良の形態】
【００４４】
（実施の形態１）
以下、本発明をその実施の形態を示す図面に基づき具体的に説明する。図１は、本発明の実施の形態１に係る操作装置の外観を示す模式図である。実施の形態１に係る操作装置１は、例えば車輌のインストルメントパネルなどに設けられて、車輌に搭載されたエアコン、ＣＤプレーヤ及びラジオチューナ等の車載機器に対する各種の設定操作を受け付けるものである。操作装置１は、各種の情報及び設定項目等を表示する表示部５０と、３つのスイッチで構成される複合スイッチ１７と、その他の複数のスイッチ又はボタン等で構成される操作部１５とを備えている。【００４５】
図２は、本発明の実施の形態１に係る複合スイッチ１７の構成を示す模式図であり、（ａ）に複合スイッチ１７の平面視を示し、（ｂ）に複合スイッチ１７の側面視を示してある。複合スイッチ１７は、プッシュスイッチ２０、ダイヤルスイッチ３０及び選択切替スイッチ４０の３つのスイッチにより構成してある。選択切替スイッチ４０は、先細の先端部分４１が他の部分より厚く形成された略卵形の板状をなしている。また、操作装置１は、その筐体（又は車輌のインストルメントパネル）の内部から外部へ突出して設けられた円筒状の回動軸４２を備えている。選択切替スイッチ４０は、回動軸４２と一体に回動するようにしてあると共に、回動軸４２に略垂直な揺動軸４３を中心に揺動するようにしてある。【００４６】
詳細には、選択切替スイッチ４０には回動軸４２が挿通可能な略円形の貫通孔が形成してあり、回動軸４２の外周面にはラジアル方向へ２つの丸棒状の揺動軸４３（図２には１つのみ図示してある）がそれぞれ反対方向へ突設してある。選択切替スイッチ４０の貫通孔の内周面には、対向する位置に揺動軸４３を保持する保持部（図示は省略する）が設けてある。選択切替スイッチ４０の貫通孔に回動軸４２を通して揺動軸４３を保持部に保持させることにより、選択切替スイッチ４０は、先端部分４１が操作装置１の筐体の外面に近接／離隔するように（図２（ｂ）の矢印Ｂ参照）、揺動軸４３を中心に揺動可能に支持される。また、回動軸４２は操作装置１の筐体内の回路基板などに回動可能に設けてあり、揺動軸４３が選択切替スイッチ４０に保持された場合には、選択切替スイッチ４０及び回動軸４２が一体に回動するようにしてある。【００４７】
選択切替スイッチ４０及び回動軸４２は、中央の位置と、この中央の位置から３０°〜６０°程度左側の位置と、中央の位置から３０°〜６０°程度右側の位置との３つの位置に段階的に回動することができ（図２（ａ）の矢印Ａ参照）、この範囲を超えて回動することができないようにしてある。段階的な回動は、例えば凹凸の係合を利用してクリック感を生じさせることで実現できる。なお、クリック感とは凹凸の係合に伴って生じる「カチ、カチ」という音、及びこのときに生じる振動等を含むものである。操作装置１の筐体外面には、選択切替スイッチ４０を上記の中央位置、左側位置及び右側位置の３つの位置に回動させた場合に、先端部分４１が指し示す３つの位置にマーク４５〜４７がそれぞれ印刷などにより設けてある。ユーザは、選択切替スイッチ４０の先端部分４１をこのマーク４５〜４７のいずれかに合わせて回動操作することができるようにしてある。【００４８】
また、操作装置１は選択切替スイッチ４０の揺動を検知する揺動検知部１４を備えている。選択切替スイッチ４０は揺動を可能とするために操作装置１の筐体の外面から若干の隙間を開けて設けてあり、揺動検知部１４はこの隙間に設けられたプッシュスイッチで実現することができる。図２（ｂ）に示すように、選択切替スイッチ４０の先端部分４１と筐体外面との間に第１のプッシュスイッチを設け、回動軸４２を間にしてその反対側に第２のプッシュスイッチを設ける。これにより、先端部分４１が筐体外面に近接するように選択切替スイッチ４０を揺動させた場合には第１のプッシュスイッチが押下され、先端部分４１が筐体外面から離隔するように揺動させた場合には第２のプッシュスイッチが押下されるため、選択切替スイッチ４０の揺動を検知することができる。【００４９】
ダイヤルスイッチ３０は、略円板形をなしている。操作装置１は、円筒状の回動軸４２内及び選択切替スイッチ４０に形成された貫通孔を挿通して筐体内の回路基板などに回動可能に設けられた円柱又は円筒状の回動軸３１を備えており、ダイヤルスイッチ３０は回動軸３１に固定されて一体に回動するようにしてある。これにより、ダイヤルスイッチ３０は、選択切替スイッチ４０に対して軸方向に積重する態様で設けられる。ダイヤルスイッチ３０は、回動軸３１を中心に左右に３６０°又はそれ以上に亘って回動させることができるようにしてある。また、ダイヤルスイッチ３０は回動に伴って所定間隔でクリック感を生じさせる構成としてもよく、この場合には選択切替スイッチ４０の回動位置に応じてクリック感を変更する（クリック感が生じる間隔を変更する、又はクリック感の強度を変更する等）構成とすることが好ましい。クリック感の変更は、例えば形状などが異なる複数組の凹凸を形成しておき、選択切替スイッチ４０の回動位置に応じて係合する凹凸の組を変更することで実現でき、モータ又はアクチュエータ等を利用して電気的に実現することもできる。ダイヤルスイッチ３０の回動に伴ってクリック感を生じさせる構成とすることにより、選択切替スイッチ４０に対する回動操作と共にダイヤルスイッチ３０が誤って回動操作されることが防止でき、また、誤って回動操作された場合にはユーザがこれを認識することができる。なお、選択切替スイッチ４０の回動操作時にダイヤルスイッチ３０が誤って回動されることを防止するために、ダイヤルスイッチ３０の回動をロックする機構を設け、ロック解除のボタンを押下しながらダイヤルスイッチ３０の回動操作を行う構成とすることもできる。【００５０】
プッシュスイッチ２０は、略円形をなし、ダイヤルスイッチ３０の略円形をなす端面の略中央に設けてある。プッシュスイッチ２０は、ダイヤルスイッチ３０及び回動軸３１内を通したケーブルなどを介して操作装置１の筐体内に設けられた回路基板などに接続してあり、プッシュスイッチ２０に対するプッシュ操作を検知することができるようにしてある。【００５１】
また、操作装置１には、複合スイッチ１７の周囲にその他の複数のスイッチ（操作部１５）が配設してあり、複合スイッチ１７にて操作することのできない種々の機能の操作を操作部１５にて行うことができるようにしてある。なお、操作部１５の各スイッチには、比較的に操作頻度の低い機能に対する操作を割り当てることが好ましいが、これに限るものではなく、逆に操作頻度が非常に高く、１つのスイッチとして独立して設けることが好ましい機能の操作を割り当ててもよい。【００５２】
表示部５０は、例えば液晶ディスプレイなどを用いて実現されるものであり、複合スイッチ１７を利用して選択及び設定することができるメニュー又はアイコン等の設定項目５２を表示すると共に、現在時刻及び車輌外の気温等の情報を表示することができるようにしてある。表示部５０には、所謂３Ｄ表示により３つのウインドウ５１が手前から奥方へ重ねて表示され、各ウインドウ５１には機器の設定操作に係る設定項目５２がそれぞれ表示されるようにしてある。図１に示す例では、最前（最も手前）にエアコンに係る設定項目５２を有するウインドウ５１が表示され、その次にＣＤプレーヤに係るウインドウ５１が表示され、最奥にラジオチューナに係るウインドウ５１が表示されている。【００５３】
各ウインドウ５１には３つ（又は３つ以下でもよい）の設定項目５２が横方向に並べて、即ち中央位置及びその左右の位置に表示されている。各設定項目５２は略円形のアイコンで表され、アイコンの形状は複合スイッチ１７のダイヤルスイッチ３０を表象したものである。図１に示すエアコンの設定項目５２の例は、左側の設定項目５２が車輌の助手席の温度設定であり、中央の設定項目５２がエアコンの風量設定であり、右側の設定項目５２が運転席の温度設定である。【００５４】
助手席の温度設定及び運転席の温度設定に係る設定項目５２は、円形のアイコン内の中央に設定温度が数値として表示されると共に、その周囲に目盛りの増減により設定温度を示すインジケータが表示される。設定温度のインジケータは、設定温度が高いほど時計回りに目盛りが増加し、設定温度が低いほど反時計回りに目盛りが減少するようにしてある。また、エアコンの風量設定に係る設定項目５２は、円形のアイコン内の中央に風向きの設定が模式的に表示されると共に、その周囲に目盛りの増減により設定風量を示すインジケータが表示される。設定風量のインジケータは、左右のインジケータが共に上下に増減する構成であり、設定風量が大きいほどインジケータが上方へ増加し、設定風量が小さいほどインジケータが下方へ減少するようにしてある。【００５５】
また、ウインドウ５１の３つの設定項目５２は、中央及びその左右の３つの位置に表示されるが、これは複合スイッチ１７の選択切替スイッチ４０の回動位置の中央及びその左右の３つの位置にそれぞれ対応付けられたものである。ユーザは選択切替スイッチ４０を回動操作して３つのマーク４５〜４７のいずれかに先端部分４１を合わせることによって、表示部５０のウインドウ５１に表示された３つの設定項目５２から対応する１つの設定項目５２を選択することができる。【００５６】
図１に示す例では、選択切替スイッチ４０の先端部分４１は中央のマーク４６を指し示す位置であるため、エアコンに係るウインドウ５１の中央に表示された風量設定の設定項目５２が選択された状態である。なお、表示部５０は、ウインドウ５１内の３つの設定項目５２のうち、選択された設定項目５２を他の非選択の設定項目５２より大きく拡大表示するようにしてある。この状態でダイヤルスイッチ３０を回動操作することで風量を変更することができ、例えばダイヤルスイッチ３０を時計回りに回動して風量を増加させ、反時計回りに回動して風量を減少させることができるようにしてある。なお、エアコンの風向きの設定は、この状態でプッシュスイッチ２０をプッシュ操作することによってトグル的に変更することができる構成としてもよく、操作部１５のその他のスイッチを操作して変更することができる構成としてもよい。【００５７】
図３は、本発明の実施の形態１に係る操作装置１の複合スイッチ１７による選択操作及び設定操作を説明するための模式図である。図１に示す状態にて、選択切替スイッチ４０を時計回りに回動操作して、先端部分４１が右側のマーク４７を指し示す位置とした場合を示したものが図３（ａ）である。これによりユーザは、表示部５０のウインドウ５１に表示された３つの設定項目５２から、右側に表示された運転席の温度設定に係る設定項目５２を選択する選択操作をすることができる。風量の設定項目５２から運転席の温度設定の設定項目５２に選択が切り替えられたことにより、表示部５０は風量の設定項目５２の拡大表示を終了し、運転席の温度設定の設定項目５２を拡大表示するようにしてある。【００５８】
運転席の温度設定の設定項目５２が選択された後、ユーザはダイヤルスイッチ３０を回動操作することによって運転席の温度の設定操作を行うことができる（図３（ｂ）参照）。ダイヤルスイッチ３０を図３（ｂ）中の白抜き矢印で示すように反時計回りに回動操作した場合には温度を下げることができ、逆にダイヤルスイッチ３０を時計回りに回動操作した場合には温度を上げることができる。なお、図示は省略するが助手席の温度設定についても同様であり、選択切替スイッチ４０を左側のマーク４５の位置まで回動操作することで助手席の温度設定に係る設定項目５２の選択操作を行うことができ、その後にダイヤルスイッチ３０を回動操作することで助手席の温度の設定操作を行うことができる。【００５９】
また、操作装置１は、エアコンの動作に係る設定操作のみでなく、ＣＤプレーヤ又はラジオチューナの動作に係る設定操作を受け付けることができる。各機器の設定のための設定項目５２はそれぞれ別のウインドウ５１に設けてあり、表示部５０の最前に表示するウインドウ５１を切り替えることによって、操作装置１による操作対象の機器を切り替えることができるようにしてある。ウインドウ５１の表示切替は、複合スイッチ１７の選択切替スイッチ４０に対する揺動操作で行うことができるようにしてある。【００６０】
図４は、本発明の実施の形態１に係る操作装置１の複合スイッチ１７によるウインドウ５１の表示切替操作を説明するための模式図である。図１に示す状態にて、選択切替スイッチ４０の先端部分４１を手前へ（操作装置１の筐体の外面から先端部分４１が離隔する方向へ）揺動操作した場合、エアコンに係るウインドウ５１の後に重ねられたＣＤプレーヤに係るウインドウ５１が手前に（最前に）表示され、エアコンに係るウインドウ５１は最奥に（ラジオチューナに係るウインドウ５１の後に）重ねて表示される（図４（ａ）参照）。これにより、最前のウインドウ５１をエアコンに係るウインドウ５１からＣＤプレーヤに係るウインドウ５１に切り替えることができ、ＣＤプレーヤに係る設定操作を複合スイッチ１７を用いて行うことができる状態となる。【００６１】
図４（ａ）に示す例では、ＣＤプレーヤに係るウインドウ５１には、再生対象のＣＤのディスク番号（例えば、ＣＤプレーヤが５つのＣＤを再生することができる場合には１〜５の番号）に係る設定項目５２が左側に表示され、このＣＤ中の再生するトラックの番号に係る設定項目５２が中央に表示され、このトラック番号の曲の再生時間に係る設定項目５２が右側に表示されている。図３に示したエアコンに係る設定操作の場合と同様に、複合スイッチ１７の選択切替スイッチ４０を回動操作することによってディスク番号に係る設定項目５２、トラック番号に係る設定項目５２又は再生時間に係る設定項目５２のいずれかを選択操作することができ、また、選択された設定項目５２に対する設定操作をダイヤルスイッチ３０の回動操作により行うことができる。【００６２】
また、図１に示す状態にて、選択切替スイッチ４０の先端部分４１を奥方へ（操作装置１の筐体の外面に先端部分４１が近接する方向へ）揺動操作した場合、ＣＤプレーヤに係るウインドウ５１の後に（即ち、最奥に）重ねられたラジオチューナに係るウインドウ５１が最前に表示され、エアコンに係るウインドウ５１はラジオチューナに係るウインドウ５１の後に重ねて表示される（図４（ｂ）参照）。これは、図４（ａ）に示す状態にて、選択切替スイッチ４０の先端部分を手前へ揺動操作した場合も同様である。これにより、最前のウインドウ５１をラジオチューナに係るウインドウ５１に切り替えることができ、ラジオチューナに係る設定操作を複合スイッチ１７を用いて行うことができる状態となる。【００６３】
図４（ｂ）に示す例では、ラジオチューナに係るウインドウ５１には、ＦＭ／ＡＭの切り替えに係る設定項目５２が左側に表示され、あらかじめ登録されたラジオ局の番号に係る設定項目５２が中央に表示され、受信周波数に係る設定項目５２が右側に表示されている。ラジオチューナに係る設定操作も上述の場合と同様に、複合スイッチ１７の選択切替スイッチ４０を回動操作することによってＦＭ／ＡＭ切替に係る設定項目５２、ラジオ局の番号に係る設定項目５２又は受信周波数に係る設定項目５２のいずれかを選択操作することができ、また、選択された設定項目５２に対する設定操作をダイヤルスイッチ３０の回動操作により行うことができる。【００６４】
図５は、本発明の実施の形態１に係る操作装置１の構成を示すブロック図である。操作装置１は、プッシュスイッチ２０に対するプッシュ操作を検知するプッシュ検知部１１、ダイヤルスイッチ３０の回動量を検出するロータリエンコーダ１２、選択切替スイッチ４０の回動位置を検出する位置検出部１３、及び選択切替スイッチ４０に対する揺動操作を検知する揺動検知部１４等と、これら各部から与えられる検知結果又は検出結果等を基に表示部５０へメニュー又はアイコン等を表示する処理を主として行う制御部１０とを備えている。これらの各部は、操作装置１の筐体内に設けられた回路基板などに電気回路として構成されている。【００６５】
プッシュ検知部１１は、電気的接点などを利用してプッシュスイッチ２０のプッシュ操作に応じて電気の導通／非導通を切り替えることにより、プッシュスイッチ２０に対するプッシュ操作を検知するようにしてある。プッシュ検知部１１は、プッシュスイッチ２０に対するプッシュ操作を検知した場合に、制御部１０へ通知を行うようにしてある。【００６６】
ロータリエンコーダ１２は、回路基板などに固定される固定部と、この固定部に回転可能に保持された回転子とを有する構成であり、回転子の回転に応じたパルス信号を出力する。ロータリエンコーダ１２の回転子はダイヤルスイッチ３０の回動軸３１に連結してあり、ダイヤルスイッチ３０の回動操作に伴ってパルス信号を制御部１０へ出力するようにしてある。制御部１０は、ロータリエンコーダ１２からのパルス信号を基に、ダイヤルスイッチ３０の回動方向及び回動量等を取得することができる。【００６７】
位置検出部１３は、例えば３接点のレバースイッチなどを利用し、選択切替スイッチ４０の回動軸４２が回動に応じてレバースイッチのレバーを移動させることによって、位置の検出を行うようにしてある。位置検出部１３は、検出した位置を制御部１０へ通知するようにしてある。揺動検知部１４は、上述のように回動軸４２を間にして２つのプッシュスイッチを配設し、いずれかのプッシュスイッチが押下されたか否かを検知することによって、選択切替スイッチ４０の揺動を検知するようにしてある。揺動検知部１４は、いずれかのプッシュスイッチが押下されて揺動が検知された場合に、制御部１０へ通知を行うようにしてある。【００６８】
制御部１０は、プッシュ検知部１１からのプッシュ操作の検知結果、ロータリエンコーダ１２からのパルス信号、位置検出部１３からの回動位置の検出結果、及び揺動検知部１４からの揺動操作の検知結果が与えられると共に、操作部１５の複数のスイッチに対する操作の検知結果が与えられている。制御部１０は、複合スイッチ１７及び操作部１５に対する操作内容に応じて、表示部５０の表示を更新するようにしてある。また、制御部１０は、複合スイッチ１７及び操作部１５の操作により設定された各種の設定を反映させるべく、接続ケーブルなどを介して接続されたエアコン９１、ＣＤプレーヤ９２及びラジオチューナ９３の動作を設定内容に応じて制御するようにしてある。【００６９】
例えば、揺動検知部１４にて選択切替スイッチ４０に対する揺動操作が検知された場合、制御部１０は表示部５０の３つのウインドウ５１の表示順を変更するようにしてある。選択切替スイッチ４０の先端部分４１が奥方へ揺動操作された場合（先端部分４１側のプッシュスイッチが押圧された場合）には、最奥に表示されていたウインドウ５１を最前に表示し、最前に表示されていたウインドウ５１を１つ後に表示する。また、選択切替スイッチ４０の先端部分４１が手前へ揺動操作された場合（反対側のプッシュスイッチが押圧された場合）には、最前のウインドウ５１の後に表示されていたウインドウ５１を最前に表示し、最前に表示されていたウインドウ５１を最奥に表示する。【００７０】
選択切替スイッチ４０が回動操作されて回動位置が変化した場合、回動位置が位置検出部１３にて検出され、制御部１０は検出された位置に対応付けられた設定項目５２を拡大表示するようにしてある。選択切替スイッチ４０の先端部分４１が左側のマーク４５を指し示す位置に回動された場合、制御部１０は表示部５０のウインドウ５１内の左側に表示された設定項目５２を拡大表示する。選択切替スイッチ４０の先端部分４１が中央のマーク４６を指し示す位置に回動された場合、制御部１０はウインドウ５１内の中央に表示された設定項目５２を拡大表示する。選択切替スイッチ４０の先端部分４１が右側のマーク４７を指し示す位置に回動された場合、制御部１０はウインドウ５１内の右側に表示された設定項目５２を拡大表示する。【００７１】
ダイヤルスイッチ３０が回動操作された場合、ロータリエンコーダ１２が出力するパルス信号から制御部１０はダイヤルスイッチ３０の回動方向及び回動量を取得する。次いで、表示部５０の最前のウインドウ５１にて拡大表示されている設定項目５２の設定値をダイヤルスイッチ３０の回動方向及び回動量に応じて変更するように、制御部１０は設定変更対象のエアコン９１、ＣＤプレーヤ９２又はラジオチューナ９３の制御を行うようにしてある。【００７２】
以上の構成の操作装置１においては、選択切替スイッチ４０及びダイヤルスイッチ３０が積重する態様で設けられた複合スイッチ１７を用いて、表示部５０に表示された複数のウインドウ５１の切替操作、ウインドウ５１に表示された複数の設定項目５２の選択操作、及び選択された設定項目５２の設定操作を行う構成とすることにより、複合スイッチ１７のみで多数の設定項目５２の設定を行うことができるため、操作装置１のその他のスイッチ又はボタン等を削減することができ、操作装置１を小型化することができる。よって、車輌のインストルメントパネルなどの限られたスペースに、操作装置１を容易に配設することができる。【００７３】
また、選択切替スイッチ４０の３つの回動位置（左側、中央及び右側）に対応付けて、表示部５０に表示したウインドウ５１内に、３つの設定項目５２を左側、中央及び右側に表示し、３つの回動位置に設けられたマーク４５〜４７のいずれかを指し示す位置に選択切替スイッチ４０の先端部分４１が回動された場合に、３つの設定項目５２のいずれかを選択する選択操作を受け付ける構成とすることにより、いずれの設定項目５２を選択しているかをユーザが容易に把握できる。よって、ユーザは表示部５０の表示を短時間目視するのみで又は目視することなく設定項目５２の選択操作を行うことができるため、操作装置１の操作性を向上することができる。特に、この操作装置１を車輌に搭載した場合、操作装置１を目視することなく操作を行うことができるため、車輌の運転に支障をきたす虞がなく、車輌の走行の安全性を高めることができる。【００７４】
また、選択切替スイッチ４０の回動操作により選択された一の設定項目５２を表示部５０にて拡大して強調表示する構成とすることにより、選択された設定項目５２をユーザが容易且つ確実に認識することができ、操作装置１の操作性を確実に向上することができると共に、ユーザによる誤操作を確実に低減することができる。【００７５】
また、選択切替スイッチ４０は略卵形の板状として、先細の先端部分４１を指示部分とし、ダイヤルスイッチ３０は略円板形とすることによって、ユーザが回動操作を行い易く、選択切替スイッチ４０がいずれの位置に回動されているかを判定し易い。また、回動の中心軸が共通となるように選択切替スイッチ４０及びダイヤルスイッチ３０を積重して設ける構成とすることにより、選択切替スイッチ４０及びダイヤルスイッチ３０の配設スペースを低減できると共に、ユーザは選択切替スイッチ４０の操作後に容易にダイヤルスイッチ３０の操作を行うことができる。よって、操作装置１の小型化及び操作性の向上をより確実に実現することができる。【００７６】
また、エアコン、ＣＤプレーヤ又はラジオチューナの設定項目５２を有する３つのウインドウ５１を表示部５０に重ねて表示し、選択切替スイッチ４０を回動方向に交差する方向へ揺動可能として、選択切替スイッチ４０の揺動に応じて最前に表示するウインドウ５１を切り替える構成とすることにより、選択切替スイッチ４０の揺動とウインドウ５１の表示切替とが対応付けられるため、ウインドウ５１の表示の切り替えを簡単且つ確実に行うことができ、表示部５０に表示する設定項目５２の切り替えを簡単且つ確実に行うことができる。よって、操作装置１の多機能化及び利便性の向上をより確実に実現することができる。【００７７】
なお、本実施の形態においては、操作装置１を車輌に搭載するものとしたが、これに限るものではなく、車輌以外の場所に搭載する構成としてもよく、本発明の操作装置１は特に配設スペースの限られた場所に搭載する場合に好適である。また、操作装置１によりエアコン、ＣＤプレーヤ及びラジオチューナに係る設定項目５２の設定操作を受け付ける構成としたが、これに限るものではなく、その他の機器に係る設定操作を受け付ける構成であってもよい。【００７８】
また、選択切替スイッチ４０は左側、中央及び右側の３つの位置に回動する構成としたが、これに限るものではなく、２つ以下の位置又は４つ以上の位置に回動する構成であってもよい。また、図１、図３及び図４にて示した表示部５０の表示内容は一例であって、これに限るものではない。また、表示部５０に３つのウインドウ５１を重ねて表示する構成としたが、これに限るものではなく、２つ以下又は４つ以上のウインドウ５１を重ねて表示する構成であってもよい。また、各ウインドウ５１には３つの設定項目５２を設ける構成としたが、これに限るものではなく、３つ以下（即ち、選択切替スイッチ４０の回動位置の数以下）の設定項目５２を各ウインドウ５１に設ければよい。また、選択切替スイッチ４０の３つの回動位置に対応して、操作装置１の筐体の外面には３つのマーク４５〜４７を設ける構成としたが、これに限るものではなく、マーク４５〜４７を設けない構成であってもよい。また、表示部５０は液晶ディスプレイなどを用いて実現されるものであるが、カラー表示又はモノクローム表示のいずれであってもよく、ドット表示又はセグメント表示のいずれであってもよい。【００７９】
また、選択切替スイッチ４０により選択された一の設定項目５２を拡大表示して強調表示する構成としたが、これに限るものではなく、選択された一の設定項目５２の色を変更する、又は点滅表示するなどの他の方法により強調表示を行う構成としてもよい。複合スイッチ１７の内部に複数色の光源を設け、表示部５０の各設定項目５２を異なる色で表示し、選択された設定項目５２の色に応じた色で複合スイッチ１７を発光させる構成とすることもできる。【００８０】
また、選択切替スイッチ４０を略卵形としたが、これに限るものではなく、矢印形又はひし形等の他の形状であってもよく、少なくとも回動位置を判別することができる形状、又はいずれか１箇所に指示部分が設けられた形状であればよい。また、先細部分の先端部分４１を指示部分として利用する構成としたが、これに限るものではなく、例えば選択切替スイッチ４０の一部の色を他の部分と異なる色とする、選択切替スイッチ４０の一箇所にマークを付す、又は選択切替スイッチ４０の一部の素材を変更するなどの構成により指示部分を設けてもよい。【００８１】
また、選択切替スイッチ４０の揺動の検知を揺動検知部１４の２つのプッシュスイッチにより行う構成としたが、これに限るものではなく、その他の方法で行う構成としてもよい。揺動検知部１４の２つのプッシュスイッチにより選択切替スイッチ４０の奥方及び手前への揺動を検知する構成としたが、これに限るものではなく、いずれか一方のプッシュスイッチのみを設けて、選択切替スイッチ４０の奥方又は手前のいずれか一方の揺動のみを検知する構成としてもよい。また、操作部１５としても受けたその他のスイッチは、図示の構成に限るものではなく、設けない構成であってもよい。【００８２】
（変形例）
図６は、本発明の実施の形態１の変形例に係る操作装置１０１の外観を示す模式図である。実施の形態１において図１に示した操作装置１は、表示部５０と複合スイッチ１７とが一体的に操作装置１の筐体に設けられた構成であるが、これに限るものではない。変形例に係る操作装置１０１は、複合スイッチ１７及び操作部１５が設けられた筐体と表示部１５０とを別体とした構成である。この場合、操作装置１０１の制御部１０は複合スイッチ１７側に設け、制御部１０と表示部１５０とを接続ケーブルなどを用いて接続する構成とすればよい。これにより、例えば車輌に操作装置１０１を搭載する場合には、表示部１５０をインストルメントパネルの上部に設け、複合スイッチ１７及び操作部１５等を運転席及び助手席の間のシフトレバー近傍に設けるなどの構成とすることができる。このとき、操作装置１の複合スイッチ１７及び操作部１５等が設けられた部分は、車輌中で位置を移動させることができる構成としてもよい。また、表示部１５０と複合スイッチ１７とを別に設ける場合には、複合スイッチ１７及び操作部１５等をリモートコントローラに設けて、赤外線などにより受け付けた操作の内容を送信する構成としてもよい。【００８３】
（実施の形態２）
図７は、本発明の実施の形態２に係る操作装置２０１の外観を示す模式図である。実施の形態２に係る操作装置２０１は、エアコンに係る設定項目２５２の設定のみを受け付けるものであり、表示部２５０、複合スイッチ２１７及びその他のスイッチによる操作部２１５等を備えている。実施の形態２に係る操作装置２０１の複合スイッチ２１７は、実施の形態１に係る操作装置１の複合スイッチ１７と略同じ構成であり、選択切替スイッチ２４０、ダイヤルスイッチ３０及びプッシュスイッチ２０で構成されている。ただし、実施の形態２の複合スイッチ２１７は、選択切替スイッチ２４０が揺動することができない点で実施の形態１の複合スイッチ１７と異なる。また、表示部２５０には、実施の形態１の表示部５０のように複数のウインドウ５１は表示されず、エアコンに係る３つの設定項目２５２が表示されるのみである。【００８４】
操作装置２０１の表示部２５０は、横長の略長方形であり、左側にエアコンの風向きに係る設定項目２５２が表示され、中央にエアコンの温度に係る設定項目２５２が表示され、右側にエアコンの風量に係る設定項目２５２が表示される。また、操作装置２０１では、複合スイッチ２１７の選択切替スイッチ２４０の先端部分４１（指示部分）は表示部５０の一部を覆うように設けてあり、選択切替スイッチ２４０を左側、中央又は右側の３つの位置に回動した場合に、風向きに係る設定項目２５２、温度に係る設定項目２５２又は風量に係る設定項目２５２を先端部分４１が直接的に指し示すことができるようにしてある。【００８５】
例えば、操作装置２０１が図７（ａ）に示す状態の場合には、選択切替スイッチ２４０によりエアコンの温度に係る設定項目２５２が選択されており、ダイヤルスイッチ３０を左右に回動操作することで設定温度を増減することができる。また、選択切替スイッチ２４０を右側へ回動操作することによって風量に係る選択項目２５２の選択操作を行うことができ（図７（ｂ）参照）、この状態の場合にはダイヤルスイッチ３０を左右に回動操作することで風量を増減することができる。【００８６】
以上の構成の実施の形態２に係る操作装置２０１は、先端部分４１が表示部２５０の一部を覆うように選択切替スイッチ２４０を設ける構成とすることにより、表示部２５０に表示された３つの設定項目２５２を先端部分４１が直接的に指し示すことができるため、選択切替スイッチ２４０により選択された設定項目２５２をユーザが確実に認識することができる。よって、操作装置２０１の操作性を向上することができると共に、ユーザによる誤操作を低減することができる。【００８７】
なお、実施の形態２においては、操作装置２０１がエアコンの設定に係る操作を受け付ける構成としたが、これに限るものではなく、その他の機器の設定操作を受け付ける構成としてもよい。また、図７に示した表示部２５０の表示内容、操作部２１５のスイッチの配置等は一例であってこれに限るものではない。また、表示部２５０に表示した設定項目２５２は、選択切替スイッチ２４０により選択された場合に、選択された一の設定項目２５２を拡大する拡大表示、色を変更する色変更表示、又は点滅して表示する点滅表示等の表示方法により強調表示する構成としてもよい。【００８８】
なお、実施の形態２に係る操作装置２０１のその他の構成は、実施の形態１に係る操作装置１の構成と同様であるため、対応する箇所には同じ符号を付して説明を省略する。【００８９】
（実施の形態３）
上述のように、実施の形態１に係る操作装置１の複合スイッチ１７は、略卵形の選択切替スイッチ４０に対して略円板形のダイヤルスイッチ３０を軸方向に積重して設ける構成であるが、複合スイッチの構成はこれに限らない。図８は、本発明の実施の形態３に係る複合スイッチ３１７の構成を示す模式図であり、（ａ）に複合スイッチ３１７の平面図を示し、（ｂ）に複合スイッチ３１７の断面図を示してある。【００９０】
実施の形態３に係る複合スイッチ３１７は、平面視で略卵形をなす選択切替スイッチ３４０と、略円形をなすダイヤルスイッチ３３０及びプッシュスイッチ３２０とを備えて構成してある。選択切替スイッチ３４０は、略卵形の板状をなす操作部３４３を有しており、操作部３４３は例えば車輌のインストルメントパネルに露出して設けられ、ユーザが回動操作を行う際に用いられる。また操作部３４３は、先細の先端部分４１を指示部分とし、その反対側に略円形の貫通孔３４４が形成されている。【００９１】
また選択切替スイッチ３４０は、操作部３４３に形成された貫通孔３４４に連通するように、操作部３４３の一の面に固設された略円筒状の回動筒部３４２を有している。回動筒部３４２は、車輌のインストルメントパネルに形成された貫通孔からその内部へ挿通され、内部に設けられた回路基板３５０に固定された円筒状の固定筒３５１に外嵌して、固定筒３５１に回動可能に保持される。【００９２】
これにより、選択切替スイッチ３４０の操作部３４３に対するユーザの回動操作によって、操作部３４３及び回動筒部３４２が固定筒３５１の周囲を一体に回動する。回路基板３５０には、回動筒部３４２の回動を検知する電気的又は機械的なスイッチなどが設けられており、これにより操作装置１はユーザによる選択切替スイッチ３４０に対する回動操作を検知することができる。【００９３】
ダイヤルスイッチ３３０は、略円柱形又は略円筒形をなしており、選択切替スイッチ３４０の操作部３４３に形成された貫通孔３４４の内径より若干小さな外径にしてある。また回路基板３５０には、円筒状の固定筒３５１の内部に、回動を検知するロータリエンコーダ３５２が設けられている。ダイヤルスイッチ３３０は、回路基板３５０のロータリエンコーダ３５２に固定接続され、固定筒３５１に外嵌する選択切替スイッチ３４０の貫通孔３４４を通して、ダイヤルスイッチ３３０の一端がインストルメントパネルの外側へ突出するように設けられている。【００９４】
これにより、ダイヤルスイッチ３３０は、円筒状の選択切替スイッチ３４０の内部で回動し、その回動をロータリエンコーダ３５２によって検知することができる。また、ダイヤルスイッチ３３０の一端面には、プッシュスイッチ３２０が設けてあり、ユーザによるプッシュ操作を検知することができるようにしてある。【００９５】
以上の構成の実施の形態３に係る操作装置の複合スイッチ３１７は、選択切替スイッチ４０及びダイヤルスイッチ３０を積層した構成の実施の形態１に係る操作装置の複合スイッチ１７と同様の操作を受け付けることができる。よって、複合スイッチ３１７を表示部５０と共に利用することで、表示部５０に表示された複数の設定項目の選択操作及び選択された設定項目の設定操作等を行うことができる。また、円筒状の選択切替スイッチ３４０内にダイヤルスイッチ３３０を回動可能に設ける構成とすることにより、複合スイッチ３１７の小型化を実現することができる。【００９６】
なお、実施の形態３に係る操作装置３０１のその他の構成は、実施の形態１に係る操作装置１の構成と同様であるため、対応する箇所には同じ符号を付して説明を省略する。
【図１】
2009020026.tif 000003
【図２】
2009020026.tif 000004
【図３】
2009020026.tif 000005
【図４】
2009020026.tif 000006
【図５】
2009020026.tif 000007
【図６】
2009020026.tif 000008
【図７】
2009020026.tif 000009
【図８】
2009020026.tif 000010
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
複数の設定項目からの一の設定項目の選択操作及び選択された設定項目の設定値の設定操作を受け付ける操作装置において、
段階的に複数の位置に回動し、回動に応じた一の位置を指し示す指示部分を有する第１の回動操作体と、
該第１の回動操作体と同軸に設けられた第２の回動操作体と、
前記第１の回動操作体の回動位置に対応付けられた複数の位置に設定項目をそれぞれ表示する表示部と、
該表示部に表示する設定項目を切り替える表示切替手段と、
該表示切替手段の切り替えに係る操作を受け付ける切替操作受付手段と
を備え、
前記第１の回動操作体の回動に応じて、前記指示部分が指し示す位置に対応する位置に表示された設定項目の選択を受け付け、
前記第２の回動操作体の回動に応じて、選択された設定項目の設定値の設定を受け付けるようにしてあること
を特徴とする操作装置。
【請求項２】
前記表示部は、選択された設定項目を強調表示するようにしてあること
を特徴とする請求項１に記載の操作装置。
【請求項３】
前記強調表示は、拡大表示、色変更表示及び／又は点滅表示であること
を特徴とする請求項２に記載の操作装置。
【請求項４】
前記第１の回動操作体は略卵形の板状をなし、先細部分を前記指示部分としてあり、
前記第２の回動操作体は略円板形をなしていること
を特徴とする請求項１乃至請求項３のいずれか１つに記載の操作装置。
【請求項５】
前記第１の回動操作体は、前記指示部分が前記表示部の一部を覆うように設けてあること
を特徴とする請求項１乃至請求項４のいずれか１つに記載の操作装置。
【請求項６】
前記第１の回動操作体は、回動方向に交差する方向へ揺動可能にしてあり、
前記切替操作受付手段は、前記第１の回動操作体の揺動に応じて操作を受け付けるようにしてあること
を特徴とする請求項１乃至請求項５のいずれか１つに記載の操作装置。
【請求項７】
前記表示部は、
複数の設定項目をそれぞれ有する複数のウインドウを重ねて表示するようにしてあり、
前記表示切替手段は、最前に表示するウインドウを切り替えるようにしてあること
を特徴とする請求項１乃至請求項６のいずれか１つに記載の操作装置。
【請求項８】
前記第１の回動操作体及び第２の回動操作体は、積重して設けてあること
を特徴とする請求項１乃至請求項７のいずれか１つに記載の操作装置。
【請求項９】
前記第１の回動操作体は筒状をなし、
前記第２の回動操作体は、前記第１の回動操作体内で回動するように設けてあること
を特徴とする請求項１乃至請求項７のいずれか１つに記載の操作装置。
【手続補正２】
【補正対象書類名】明細書
【補正対象項目名】０００３
【補正方法】変更
【補正の内容】
【０００３】
示部分が直接的に指し示すことができ、いずれの設定項目が選択されているかをより容易に判断することができる操作装置を提供することにある。
［００１１］
また本発明の他の目的とするところは、第１の回動操作体を回動方向に交差する方向へ揺動可能とし、第１の回動操作体の揺動に応じて表示部に表示する設定項目を切り替える構成とすることにより、揺動操作を併用することでより多くの設定項目に対する設定操作を簡単に行うことができる操作装置を提供することにある。
［００１２］
また本発明の他の目的とするところは、複数の設定項目を有する複数のウインドウを表示部に重ねて表示し、第１の回動操作体の揺動に応じて最前に表示するウインドウを切り替える構成とすることにより、表示するウインドウの切り替えと揺動操作とを対応付けることができ、切替操作を簡単且つ確実に行うことができる操作装置を提供することにある。
［００１３］
また本発明の他の目的とするところは、第１の回動操作体及び第２の回動操作体を積重して設ける構成とすることにより、小型化の実現が容易な操作装置を提供することにある。
［００１４］
また本発明の他の目的とするところは、第１の回動操作体を筒状とし、第２の回動操作体を第１の回動操作体内に設ける構成とすることにより、小型化の実現が容易な操作装置を提供することにある。
課題を解決するための手段
［００１５］
第１発明に係る操作装置は、複数の設定項目からの一の設定項目の選択操作及び選択された設定項目の設定値の設定操作を受け付ける操作装置において、段階的に複数の位置に回動し、回動に応じた一の位置を指し示す指示部分を有する第１の回動操作体と、該第１の回動操作体と同軸に設けられた第２の回動操作体と、前記第１の回動操作体の回動位置に対応付けられた複数の位置に設定項目をそれぞれ表示する表示部と、該表示部に表示する設定項目を切り替える表示切替手段と、該表示切替手段の切り替えに係る操作を受け付ける切替操作受付手段とを備え、前記第１の回動操作体の回動に応じて、前記指示部分が指し示す位置に対応する位置に表示された設定項目の選択を受け付け、前記第２の回動操作体の回動に応じて、選択された設定項目の設定値の設定を受け付けるようにしてあることを特徴とする。
［００１６］
本発明においては、段階的に複数の位置に回動する第１の回動操作体と、第１の
【手続補正３】
【補正対象書類名】明細書
【補正対象項目名】０００５
【補正方法】変更
【補正の内容】
【０００５】
［００２１］
また、第４発明に係る操作装置は、前記第１の回動操作体は略卵形の板状をなし、先細部分を前記指示部分としてあり、前記第２の回動操作体は略円板形をなしていることを特徴とする。
［００２２］
本発明においては、第１の回動操作体を略卵形の板状とする。この形状は円形に近い形状であるため回動操作に適していると共に、卵形には先細部分が存在するため、この部分を回動位置を指し示す指示部分として利用することができる。また、第２の回動操作体は略円板形とする。卵形と円形とは近い形状であるため同軸に配設することが容易である。また、回動の中心を一致させることによって、第１の回動操作体から第２の回動操作体へ、又はその逆へ、ユーザが操作体の変更を容易に行うことができる。
［００２３］
また、第５発明に係る操作装置は、前記第１の回動操作体が、前記指示部分が前記表示部の一部を覆うように設けてあることを特徴とする。
［００２４］
本発明においては、指示部分が表示部の一部を覆うように第１の回動操作体を設ける。表示部は、第１の回動操作体の指示部分が回動によって各設定項目を直接的に指し示すように、第１の回動操作体の回動位置に応じた位置に複数の設定項目を表示することができる。これにより、選択された設定項目を強調表示などしない場合であっても、第１の回動操作体の指示部分が直接的に指し示す設定項目が第２の回動操作体による設定対象であることをユーザが認識することができる。
［００２５］
また、第６発明に係る操作装置は、前記第１の回動操作体が、回動方向に交差する方向へ揺動可能にしてあり、前記切替操作受付手段は、前記第１の回動操作体の揺動に応じて操作を受け付けるようにしてあることを特徴とする。
［００２６］
本発明においては、第１の回動操作体を回動方向に交差する方向へ揺動することができる構成とする。例えば、円柱状又は円筒状の回動軸の外周面からラジアル方向に突出させて揺動軸を設け、この揺動軸にて第１の回動操作体を支持する構成とすることにより、第１の回動操作体は揺動軸を中心に揺動することが可能であり、第１の回動操作体を回動した場合には揺動軸と共に回動軸を回動させることができる。更に、第１の回動操作体の揺動をプッシュスイッチ又は電気的接点等を利用して検知し、揺動に応じて表示部に表示する設定項目を切り替える。これにより、表示部に
【手続補正４】
【補正対象書類名】明細書
【補正対象項目名】０００６
【補正方法】変更
【補正の内容】
【０００６】
よる設定項目の表示の切り替えと、表示された複数の設定項目からの一の設定項目の選択とを、ユーザは第１の回動操作体のみで行うことができる。よって、より多くの設定項目の設定を第１の回動操作体及び第２の回動操作体を利用するのみで行うことが可能となる。
［００２７］
また、第７発明に係る操作装置は、前記表示部が、複数の設定項目をそれぞれ有する複数のウインドウを重ねて表示するようにしてあり、前記表示切替手段は、最前に表示するウインドウを切り替えるようにしてあることを特徴とする。
［００２８］
本発明においては、複数の設定項目を有する複数のウインドウを表示部に重ねて表示する。また、第１の回動操作体の揺動に応じて、例えば第１の回動操作体を１回揺動させる毎に最前に表示するウインドウを１つずらすなどして、最前のウインドウを切り替えて表示する。第１の回動操作体の回動による設定項目の選択操作及び第２の回動操作体の回動による設定項目の設定操作は、最前のウインドウが有する複数の設定項目を対象とすることができる。第１の回動操作体の揺動とウインドウの表示切替とが対応付けられることによって、ユーザは設定項目の表示切替を容易且つ確実に行うことができる。
［００２９］
また、第８発明に係る操作装置は、前記第１の回動操作体及び第２の回動操作体は、積重して設けてあることを特徴とする。
［００３０］
本発明においては、第１の回動操作体及び第２の回動操作体を積重して設ける。これにより２つの回動操作体を並設する場合などと比較して、操作装置が小型化できる。ユーザが第１の回動操作体に対する操作と、第２の回動操作体に対する操作とを連続的に行う場合に、２つの回動操作体が積重されているため操作性がよい。
［００３１］
また、第９発明に係る操作装置は、前記第１の回動操作体は筒状をなし、前記第２の回動操作体は、前記第１の回動操作体内で回動するように設けてあることを特徴とする。
［００３２］
本発明においては、第１の回動操作体を筒状とし、第２の回動操作体は第１の回動操作体内で回動するように設ける。これにより、２つの回動操作体を並設する場合などと比較して、操作装置が小型化できる。ユーザが第１の回動操作体に対する操作と、第２の回動操作体に対する操作とを連続的に行う場合に、２つの回動操作体が積
【国際調査報告】
2009020026.tif 000011
2009020026.tif 000012